(57)【要約】【課題】指紋による認証方法，指紋による利用者自身の特定方法を利用し、携帯電話機の有する機能によるサービスを広く利用者自身のみが享受し、指紋認証を広く応用することの出来る携帯電話機を提供する。【解決手段】個人ＤＢ管理部２５ａと電話機固有のソフトウェア管理を行うソフトウェア管理部２５ｃとを有する管理部２５を備え、外表面の一部に利用者の指を接触させ、接触した指の指紋の特徴を認識する指紋認識部４を備え、外部との通信を行う受発信部２６は、外部との通信を制限する通信制御部２６ａを備えた携帯電話機１００と指紋認識部で認識した利用者の指紋の特徴を格納する外部の記憶装置４３とから構成される。外部の記憶装置からの格納された指紋の特徴と使用時に認識した指紋の特徴とを比較して双方の一致性を判定し、一致したときに前記通信制限部の制限の解除を行う操作を許容し、起動する。【選択図】図１１
2006202278.tif 000002
【特許請求の範囲】
【請求項１】
通信手段と、各種の情報を表示可能な表示手段と、各種の入力操作を行う操作キー部とを備えた携帯電話機において、
指紋認識部と、利用者の指紋の特徴を格納する記憶部と、ソフトウェアの管理を行うソフトウェア管理部と、プログラム起動手段と、カーソル移動センサとを備え、
前記プログラム起動手段は、前記記憶部に予め格納された指紋の特徴と使用時に前記指紋認識部を介して認識した指紋の特徴とを比較して双方の一致性を判定し、一致したときに一致信号を発信し、該一致信号に基づいて前記ソフトウェア管理部に予め収納した所定のソフトウェアを起動し、
前記指紋認識部は、前記携帯電話機の本体の一部表面に露出して設けられる押圧面部と、前記本体の内部に設けられる光源部及びカメラ部と、前記押圧面部と光源部との間に配置されるレンズ部と、該押圧面部とカメラ部との間に配置される光屈折手段とを備え、
前記カーソル移動センサは、前記押圧面部の端部に配置され、該押圧面部に接触する指の移動方向を検知して、前記表示手段に表示されるカーソルの移動方向を決定する
ことを特徴とする携帯電話機。
【請求項２】
前記請求項１記載の携帯電話機において、
前記カーソル移動センサは、前記押圧面部の左右と上下に４ケ所設けている
ことを特徴とする携帯電話機。
【発明の詳細な説明】
【技術分野】
【０００１】
本発明は、携帯電話機に関する。
【背景技術】
【０００２】
一般に、携帯電話機は利用者本人以外の人物に対して利用制限を行う場合、本体上に配置されるダイアルキーにより、あらかじめ利用者が設定した任意の数値を入力することで、通話や内部のデータ閲覧を禁止出来るようにしている。一方、利用制限の解除については、同様の手順で利用者自身が記憶している前記の数値を再度入力し解除される。
【０００３】
特許文献１には、個体認証装置付きコンピュータは、皮膚の接触により生じる電気特性の変化に対応して、一次元の電気信号分布が形成される認証パターン入力部およびこの認証パターン入力部の出力信号から個体認証を行う個体認識部とからなる個体認証装置を備え、予め登録された個人の皮膚の認証パターンであると前記個体認証装置が判断した場合にのみ動作が可能となることが記載されている。
【０００４】
特許文献２には、指紋画像を検出し個人識別情報として登録する指紋情報処理装置において、対象者の指紋を部分的に光学検出する指紋画像検出手段と、前記指紋画像検出手段にて検出される複数の部分指紋画像の相対位置を検出する相対位置検出手段と、前記相対位置検出手段にて検出された前記相対位置情報に基づいて前記複数の部分指紋画像の相互間の位置ずれを補正しつつ合成することにより合成指紋画像を形成する画像合成手段と、前記合成指紋画像のデータを前記個人識別情報用の登録指紋画像として登録する記憶手段とを具備する指紋情報処理装置が記載されている。
【０００５】
特許文献３には、上面に指Ｆを押圧接触させる導光板と、導光板の端部に配置し照明光を入射するＬＥＤと、導光板の下面側に指Ｆに対向して配置した二次元イメージセンサと、導光板と二次元イメージセンサとの中間に配置したセルフォックレンズプレートと、これら構成要素を支持固定する筐体遮光体とを備え、上記照明光が導光板の内部を全反射を繰り返して伝搬し、セルフォックレンズプレートが指Ｆからの散乱光を二次元イメージセンサに結像させて指紋画像を得る指紋画像入力装置が記載されている。
【０００６】
特許文献４には、指紋認証カード，メモリカード，認証システム及び認証装置及び携帯機器、特にあるサービスを受けようとするユーザに、そのユーザ本人である場合のみにサービスを提供する装置に対し、ユーザが指紋認識装置を埋め込んだカードを用いて暗証番号やパスワード等で行っているユーザの認証を指紋情報を用いて行うための指紋認証カード，メモリカード，認証システム及び認証装置及び携帯機器が記載されている。これによれば、認識情報の照合結果が有効である場合のみ、携帯機器の処理装置へ電源供給を開始するようにしているので、携帯機器を紛失した場合にあっても個人データの流出を防ぐことができるとする。
【０００７】
【特許文献１】特開平７−１６８９３０号公報
【特許文献２】特開平１０−１４３６６３号公報
【特許文献３】特開平１０−２８９３０４号公報
【特許文献４】特開平１１−３９４８３号公報
【発明の開示】
【発明が解決しようとする課題】
【０００８】
前述した公知例によれば指紋による認証方法，指紋による利用者自身の特定方法が記載されている。
【０００９】
本発明は、指紋による認証方法，指紋による利用者自身の特定方法を利用し、携帯電話機の有する機能によるサービスを広く利用者自身のみが享受し、指紋認証を広く応用することの出来る携帯電話機を提供することを目的とする。
【課題を解決するための手段】
【００１０】
本発明に係る携帯電話機は、通信手段と、各種の情報を表示可能な表示手段と、各種の入力操作を行う操作キー部とを備えた携帯電話機において、指紋認識部と、利用者の指紋の特徴を格納する記憶部と、ソフトウェアの管理を行うソフトウェア管理部と、プログラム起動手段と、カーソル移動センサとを備え、前記プログラム起動手段は、前記記憶部に予め格納された指紋の特徴と使用時に前記指紋認識部を介して認識した指紋の特徴とを比較して双方の一致性を判定し、一致したときに一致信号を発信し、該一致信号に基づいて前記ソフトウェア管理部に予め収納した所定のソフトウェアを起動し、前記指紋認識部は、前記携帯電話機の本体の一部表面に露出して設けられる押圧面部と、前記本体の内部に設けられる光源部及びカメラ部と、前記押圧面部と光源部との間に配置されるレンズ部と、該押圧面部とカメラ部との間に配置される光屈折手段とを備え、前記カーソル移動センサは、前記押圧面部の端部に配置され、該押圧面部に接触する指の移動方向を検知して、前記表示手段に表示されるカーソルの移動方向を決定する。
【発明の効果】
【００１１】
以上のように本発明によれば、指紋による認証方法，指紋による利用者自身の特定方法を利用し、携帯電話機の有する機能によるサービスを広く利用者自身のみが享受し、指紋認証を広く応用することの出来る携帯電話機を提供することができる。
【発明を実施するための最良の形態】
【００１２】
以下、本発明の実施例を図面に基づいて説明する。
【００１３】
図１は、本発明をもっとも良くあらわしている携帯電話機１００の背面斜視図、図２は正面斜視図、図３は利用者が携帯電話機の本体を保持した状態を示す背面図、図４は携帯電話機の断面図である。図５は、本体背面上の指紋認識部４の位置を示し、図６は指紋認識部の断面部を示し、図７，図８，図９は断面位置の各種構造を示す図である。図１０は、携帯電話機内部のデータのやり取りをあらわすブロック図である。
【００１４】
これら図１ないし図４におけるフロントケース１とバックケース２で形成する本体の背面の外表面上に指紋認識デバイスの指紋認識部４が配置されている。バッテリー３は、バックケース２に設けられる。図２における表示画面５は電話機正面から操作中に表示内容が見えるようになっている。またソフトキー７ａ，７ｂ，７ｃは表示画面５の内容に対応して適時機能が割り当てられ使用される。カーソルキー８は、電話帳操作やソフトキー７ａ，７ｂ，７ｃで対応しきれないソフトウェア等の操作を簡便に行うためものである。ダイアルキー６，電源キー９，発信キー１０，スピーカー１１，マイク１２は、携帯電話の基本的な通話に必要なものである。１３はＣＰＵなどを搭載したメイン基板である。１４はアンテナである。
【００１５】
図５に示すように、第１寸法が第４寸法より長い場合において、指紋認識デバイス４は本体保持に必要な第２寸法から外れた第３寸法上にあるので、通常の携帯電話機操作や通話の使い勝手を損なうことがない。指紋認識部４は、バックケース２よりも筐体内側に近い高さに段差配置されているので、卓上に置いたときにセンサ面を傷つけることがない。また指紋認識部４の押圧面が指で押圧するときに、利用者が目視で押圧面位置を確認せずとも該段差によって正規の認識位置を指の感触で探し当てることができる。加えて、より確実に指を認識部に導くには押圧面周囲の段差形状が、図６で示すような指紋形状とほぼ相似となる楕円であれば更によい。
【００１６】
図１０は、携帯電話機内部のデータのやり取りを表わすブロック図であり、このブロック図において、２１はダイアルキー，ソフトキー，カーソルキーなどの操作キー回路、２２は指紋入力センサで、２３は認識回路、２４はＣＰＵ、管理部２５内の２５ａは個人データベース（ＤＢ）管理部、２５ｂは電話番号管理部、２５ｃはソフトウェア管理部そして２５ｄは記憶部になっている。それら入出力データや音声について外部とのやり取りを行う受発信部２６は、無線基地局などを経由して公衆電話網３０やインターネット３１に接続処理を行う。また画面表示回路２７は、携帯電話操作やネットワークより享受したサービスの画面などを表示する画像処理を行い、スピーカー回路２８，マイク回路２９は通話や携帯電話操作に使用する音声信号を処理する。
【００１７】
図１１は、管理部２５の機能を説明するための図である。図において、携帯電話機１００は、前述したように外表面一部に利用者の指を押圧（ａ）によって接触させ、接触した指の指紋を認識する指紋認識部４を有し、表面の一部に画面部４１を有する。
【００１８】
認識された指紋の特徴はアンテナ１４を介し（ｂ）、インターネット３１を介して（ｃ）、外部のデータベース（ＤＢ）４３に格納される。利用者の指紋の特徴を携帯電話機１００内の記憶部２５ｄに直接的に格納するようにしてもよい。また、指紋認識カードに格納するようにしてもよい。使用時には、利用者４４は、指を指紋認識部４に押圧によって接触させ（ｄ）、指紋の認識を行い、記憶部２５ｄに格納する。
【００１９】
格納された指紋の特徴と使用時に認識した指紋の特徴とを比較して双方の一致性を判定し、一致したときに一致信号を発信し、該一致信号に基づいて予め収納したプログラムを起動するプログラム起動手段が設けられる。これによってプログラム起動信号生成４５がなされる。
【００２０】
このプログラム起動信号によって管理部２５に設けられる電話機個有の作動のための許可・起動４２の操作がなされ、ブラウザーが作動される。すなわち、プログラム起動信号によって、ダイヤル入力プログラム４６，カーソル操作制御プログラム４７あるいはメールソフト４８，ダイヤル番号表（電話帳）４９，スケジュール管理ソフト５０，Ｗｅｂブラウザー５１，無線接続マネージャー５２などのプログラムが選択的に起動される。
【００２１】
無線接続マネージャー機能は次のようである。
【００２２】
個人情報を格納およびインターネットへの接続機能を備えた携帯電話機は、個人ＤＢ管理部と電話機個有のソフトウェアの管理を行うソフトウェア管理部、外表面の一部に利用者の指を接触させ、接触した指の指紋の特徴を認識する指紋認識部を備え、外部との通信を行う受発信部は、外部との通信を制限する通信制限部を備え、利用者の指紋の特徴を格納する記憶装置からの格納された指紋の特徴と使用時に認識した指紋の特徴とを比較して双方の一致性を判定し、一致したときに前記通信制限部の制限の解除を行う操作を許容することができる。
【００２３】
また、インターネットを介した電子商取引のパスワードを記憶するメモリを有し、利用者の指紋の特徴を格納する記憶装置からの格納された指紋の特徴と使用時に認識した指紋の特徴とを比較して双方の一致性を判定し、一致したときに前記パスワードの入力を許容するパスワード入力許容手段を有する。  
【００２４】
携帯電話機１００には、個人ＤＢ管理部と電話機個有のソフトウェアの管理を行うソフトウェア管理部を設け、外表面の一部に利用者の指を接触させ、接触した指の連続した複数の指紋の特徴を認識する指紋認識部を設け、インターネットを介した電子商取引のパスワードを記憶するメモリを有し、利用者の指紋の特徴を格納する記憶装置からの格納された連続した複数の指紋の特徴と使用時に認識した連続した複数の指紋の特徴とを比較して双方の一致性を判定し、一致したときに前記パスワードが入力されたと認証する操作を許容する本人認証許容手段を設けてもよい。
【００２５】
ダイヤル番号表４９のプログラム起動によれば、利用者の指紋の特徴を格納する記憶装置からの格納された指紋の特徴と使用時に認識した指紋の特徴とを比較して双方の一致性を判定し、一致したときにダイヤル番号の信号を発信するようにする操作を許容することができる。
【００２６】
また、複数の指紋を連続入力し、連続入力された複数の指紋を１つのセキュリティ信号に生成できることになる。
（動作の説明）
図１２では、キーロックに関わる初期登録手順図、図１３では、図１２に対応する画面の表示例を示す。
【００２７】
電源ＯＮ  ｓ１で１−(イ)画面を表示し、次に通信確立手続きｓ２で基地局との接続確認中を示す１−(ロ)が表示される。キー入力確認ｓ３で１−(ハ)の画面を表示し、利用者が本体上のいずれかのボタンを押せば、キー入力確認ｓ４を経て認識依頼画面表示ｓ５で１−(ニ)を表示する。指紋入力ｓ６で利用者が指紋登録を希望する指を指紋認識部４（認識部）に押圧すると直ちに認識ｓ７により１−(ホ)を表示し、ＣＰＵ側からＤＢ無し確認ｓ８の連絡を受けると登録意志確認ｓ９を表示する。確認ｓ９で利用者は指紋登録意志の有無を選択できる。次に利用者による登録意志を受け認識依頼画面表示ｓ１０で１−(ト)を表示し再度、利用者の指紋入力を促し、入力を確認すれば直ちに１−(チ)を表示し、既に入力された指紋イメージと照合ｓ１０を行い新規の、照合ＤＢ作成ｓ１３と個人情報ＤＢアクセスキー作成ｓ１４の処理をする。以上が正常に行われれば、ＤＢ登録完了画面表示ｓ１５で１−(リ)を表示し、利用者に指紋が登録されたことを通知する。
【００２８】
図１４は、キーロックに関わる登録抹消処理手順図、図１５は、図１４に対応する画面の表示例を示す。
【００２９】
通常の使用待ち受け状態では、キー入力待機画面表示ｓ３１の３−(イ)画面を表示している。利用者の意志により登録抹消手続き画面ｓ３２に対応した３−(ロ)画面の中からキーロックを選択すると、抹消意志確認ｓ３３で３−(ハ)画面を表示する。ここで利用者は抹消意志の有無を選択できる。次に認識依頼画面ｓ３４で３−(ニ)画面を表示し、指紋入力ｓ３５では、利用者が抹消を希望する指を認識部に押圧すると直ちに、３−(ホ)を表示し、直ちに照合ＤＢ確認ｓ３６と照合ｓ３７を行い、抹消意志確認ｓ３８の３−(ヘ)画面から、利用者に再度意志確認を促す。利用者の意志を受け照会ＤＢ削除ｓ３９と個人情報ＤＢアクセスキー削除ｓ４０を経て、削除終了確認画面表示ｓ４１の３−(ト)画面を表示し、正常に削除されたことを通知する。また該画面中の選択肢によって、再び指紋の登
録を行う画面にスキップすることもできる。以上の手順が済めば、再びキー入力待機画面表示ｓ３９の３−(チ)画面表示にもどる。
【００３０】
図１６は、ソフトウェア起動ボタンなどを指紋認識部に割り当てたい場合の登録方法に関わる機能登録処理手順図、図１７は、図１６に対応する画面の表示例を示す。
【００３１】
通常の使用待ち受け状態では、キー入力待機画面表示ｓ６１の６−(イ)画面を表示している。利用者の意志により機能登録抹消手続き画面ｓ３２に対応した６−(ロ)画面の中から機能を選択すると、登録意志確認ｓ６３で６−(ハ)画面を表示する。ここで利用者は抹消意志の有無を選択できる。機能選択ｓ６４ので６−(ニ)画面では画面対応ソフトキーの矢印キーなどを用いて割り当てたいソフトウェアやＷｅｂサイトのページアドレス，電話番号などをメニューに従って選択する。次に認識依頼画面ｓ６５で６−(ホ)を表示し、指紋入力ｓ６６では、選択済の機能に対し利用者が登録を希望する指を認識部に押圧すると直ちに、認識ｓ６７で６−(ヘ)を表示し、直ちに照会ＤＢ作成ｓ６８とリンクキー作成ｓ６９を行い、登録情報確認ｓ７０を行い、照合完了画面表示ｓ７１を行う。次いで、キー入力待機画面表示ｓ７２の６−(リ)キー入力待機にする。
【００３２】
図１８は、指紋認識部に割り当てたソフトウェアを抹消したい場合の登録抹消方法に関わる機能登録抹消処理手順図、図１９は、図１８に対応する画面の表示例を示す。
【００３３】
通常の使用待ち受け状態では、キー入力待機画面表示ｓ９１の９−(イ)画面を表示している。利用者の意志により機能登録抹消手続き画面ｓ３２に対応した９−(ロ)画面の中から機能を選択すると、登録抹消意志確認ｓ９３で９−(ハ)画面を表示する。ここで利用者は抹消意志の有無を選択できる。次に認識依頼画面ｓ９４で９−(ニ)を表示し、指紋入力ｓ９５では、選択済の機能に対し利用者が抹消を希望する指を認識部に押圧すると直ちに、照会ＤＢ確認ｓ９６で９−(ホ)を表示して照合ｓ９７し、抹消意志確認ｓ９８の９−(ヘ)を表示し、直ちに照会ＤＢ削除ｓ９９とリンクキー削除ｓ１００を行い、削除終了確認画面表示ｓ１０１で９−(ト)を表示し、キー入力待機画面表示ｓ１０２で９−(チ)表示を行う。
【００３４】
図２０は、ボタンロック削除手順図、図２１は、図２０に対応する画面の表示例を示す。
【００３５】
電源ＯＮｓ１２１で１０−(イ)の表示を行い、通信確立手続きｓ１２２で１０−(ロ)の表示を行い、キー入力確認ｓ１２３で１０−(ハ)の表示を行う。認識依頼画面表示ｓ１２５を行い、指紋入力ｓ１２６で１０−(ニ)の表示を行い、照会ＤＢ確認ｓ１２７，照合ｓ１２８で１０−(ホ)の表示を行う。ボタンロック解除ｓ１２９を行う。個人情報ＤＢ公開ｓ１３０を行い、照合完了画面表示ｓ１３２を行い、キー入力待機画面表示ｓ１３２で１０−(ヘ)の表示を行う。
【００３６】
図２２は、アプリケーション選択起動，実行手順図、図２３は、図２２に対応する画面の表示例を示す。
【００３７】
キー入力待機画面表示ｓ１５１で１５−(イ)の表示を行い、指紋入力ｓ１５２で１５−(ロ)の表示を行い、照会ＤＢ確認ｓ１５３，照合ｓ１５４で１５−(ハ)の表示を行う。ボタンロック解除ｓ１５５を行い、個人情報ＤＢ公開ｓ１５６を行い、リンクキー呼び出しｓ１５７を行う。アプリケーションを選択し起動する。例えばメールソフト起動ｓ１５８で１５−(ニ)の表示を行い、アプリケーション実行ｓ１５９を行い、アプリケーション終了ｓ１６０とする。次いでキー入力待機画面表示ｓ１６１で１５−(ホ)の表示を行う。
【００３８】
図２４は、指紋認識部４の詳細を示す。指紋認識部４は、携帯電話機の本体６０の一部表面に設けられた凸状の押圧面部６１と、その直下で本体６０内壁に設けられた光源６２と、そのレンズ６３と、撮像素子の１つとしてのカメラ６４とおよびプリズム６５を備える。
【００３９】
利用者の指６６を押圧面部６１に押圧状態で接触させ、光源６２からの光を当てて指紋からの反射光をカメラで画像として認識する。押圧面部６１を外側に向って凸状とすることによって指紋の特徴をより鮮明に認識することができる。
【００４０】
図２５に示すように、プリズム６５に代えて反射体６７を用いることができる。
【００４１】
指紋照射用の照射光の光源としてプリント基板搭載用のチップ型の発光ダイオード（ＬＥＤ）を用い、ＣＣＤ等の二次元イメージセンサを用いて撮像するようにしてもよい。
【００４２】
次に指紋の画像をカーソル操作制御に適用した例について説明する。
【００４３】
図２６あるいは図２７に示すようにレンズ６３の位置を変えて、撮像する指紋の範囲を変え、指紋の特徴の抽出把握に変化をさせることができる。また、図２８に示すように凸あるいは凹レンズを用いて指紋の特徴の抽出把握に変化を与えることができる。
【００４４】
図２９は、押圧面部６１を利用してカーソル移動機能を与える構成を示す。押圧面部６１の端部７１に押圧方向検出のためのセンサ６０が設けてある。図３０に示すようにセンサ６０は上下，右左の４カ所に設けることができ、指の移動速度を変えることによって（イ）あるいは（ロ）に示すようにカーソル移動速度を制御することができる。
【００４５】
図３１は、撮像時間を異ならせて撮像した像の変化を示す。
【００４６】
撮像素子より取り込み数値化された時刻１，時刻２それぞれの特徴に対し、両者が一致していれば、移動量なしとして指紋画像を該当のアプリケーションに引き渡す。また、両者に相違点があればその数値の差分をカーソルの移動量と方向に置き換える。
【００４７】
図３２は、カーソル変化量を利用したアプリケーション選択手段を示す。カーソル操作制御プログラム部８１とおよびアプリケーションプログラム部８２とを備える。カーソル操作制御プログラム部８１は、二次元撮像入力部８３，指紋特徴抽出部８４，時系列の特徴変化比較部８５，時計機能部８６およびカーソル変化量決定部８７を有し、指紋特徴抽出部８４で抽出された指紋の特徴を時系列の特徴変化比較部８５で時系列化した特徴として把握し、カーソル変化量決定部８７でカーソル変化量として規定し、決定する。これらはプログラム起動によって行われる。アプリケーションプログラム部８２は、アプリケーションマネージャー部８８と、メールソフト部８９，Ｗｅｂブラウザー９０，地図ソフト８１などのアプリケーションプログラムを有する。これによって電話機個有機能作動ブラ
ウザーを作動させる。アプリケーションマネージャー部８８は、カーソル変化量に対応してどのアプリケーションプログラムを選択するかを予め定めた方法に従って、決定されたカーソル変化量に対応してメールソフト８９(４８)，Ｗｅｂブラウザー９０(５１)，地図ソフト９１などのプログラムを選択する。
【００４８】
利用者の指紋の特徴を格納する記憶装置からの格納された指紋の特徴と使用時に認識した指紋の特徴とを比較して双方の一致性を判定し、一致したときに一致信号を発信し、該一致信号に基づいて前記管理部に予め収納したプログラムを起動するプログラム起動手段を有し、プログラムの起動によってパスワードの入力，携帯電話機の利用制限の解除，電子メールの起動，電話帳機能の呼び出し，インターネットへの接続および特定回線への接続などの複数の電話機個有機能のいずれかを作動させる電話機個有機能作動ブラウザーを備えたことによって携帯電話機の利用制限の解除，電子メールの起動，電話帳機能の呼び出し，インターネットへの接続あるいは特定回線への接続を選択的に行うことができる。これによって指紋認証した結果の応用に汎用性が増すことになる。
【００４９】
外部との通信を行う受発信部は、外部との通信を制限する通信制限部を備え、利用者の指紋の特徴を格納する記憶装置からの格納された指紋の特徴と使用時に認識した指紋の特徴とを比較して双方の一致性を判定し、一致したときに前記通信制限部の制限の解除を行う操作を許容する、あるいはインターネットを介した電子商取引のパスワードを記憶するメモリを有し、利用者の指紋の特徴を格納する記憶装置からの格納された指紋の特徴と使用時に認識した指紋の特徴とを比較して双方の一致性を判定し、一致したときに前記パスワードの入力を許容するパスワード入力許容手段を有する、あるいはインターネットを介した電子商取引のパスワードを記憶するメモリを有し、利用者の指紋の特徴を格納する記憶装置からの格納された連続した複数の指紋の特徴と使用時に認識した連続した複数の指紋の特徴とを比較して双方の一致性を判定し、一致したときに前記パスワードが入力されたと認証する操作を許容する本人認証許容手段を有すること、あるいは利用者の指紋の特徴を格納する記憶装置からの格納された指紋の特徴と使用時に認識した指紋の特徴とを比較して双方の一致性を判定し、一致したときにダイヤル番号の信号を発信する操作を許容することによって次のステップに移る際に他の操作（工程）と組み合わせることが可能になって指紋認証した結果の応用に汎用性が増すことになる。
【図面の簡単な説明】
【００５０】
【図１】本発明の実施例である携帯電話機の背面斜視図。
【図２】図１の正面斜視図。
【図３】利用者が携帯電話機の本体を保持した状態を示す背面図。
【図４】携帯電話機の断面図。
【図５】本体背面上の指紋認識部の位置を示す図。
【図６】指紋認識部の断面図。
【図７】断面位置の構造図。
【図８】断面位置の他の構造図。
【図９】断面位置の他の構造図。
【図１０】ブロック図。
【図１１】本発明の実施例の機能図。
【図１２】初期登録手順図。
【図１３】画面表示例図。
【図１４】登録抹消処理手順図。
【図１５】画面表示例図。
【図１６】機能登録処理手順図。
【図１７】画面表示例図。
【図１８】機能登録抹消処理手順図。
【図１９】画面表示例図。
【図２０】ボタンロック解除手順図。
【図２１】画面表示例図。
【図２２】アプリケーション選択起動，実行手順図。
【図２３】画面表示例図。
【図２４】指紋認識部詳細図。
【図２５】他の指紋認識部の詳細図。
【図２６】レンズ位置を変化することを示す指紋認識部の図。
【図２７】レンズ位置を変化することを示す指紋認識部の図。
【図２８】凸凹レンズを用いることを示す指紋認識部の図。
【図２９】カーソル移動機能を与える構成を示す図。
【図３０】センサ配置図。
【図３１】撮像の変化図。
【図３２】アプリケーション選択手段を示す図。
【符号の説明】
【００５１】
１…フロントケース、２…バックケース、３…バッテリー、４…指紋認識部、５…表示画面、６…ダイアルキー、７ａ，７ｂ，７ｃ…ソフトキー、８…カーソルキー、９…電源キー、１０…発信キー、１１…スピーカー、１２…マイク、１３，２４…ＣＰＵ、１４…アンテナ、２１…操作キー回路、２２…指紋入力センサ、２３…認識回路、２５…管理部、２５ａ…個人データベース（ＤＢ）管理部、２５ｂ…電話番号管理部、２５ｃ…ソフトウェア管理部、２５ｄ…記憶部（メモリ）、２６…受発信部、２６ａ…通信制限部、２７…画面表示回路、２８…スピーカー回路、２９…マイク回路、３０…公衆電話網、３１…インターネット、４１…画面部、４２…許可・起動、４３…外部のデータベース（ＤＢ）、４４…利用者、４５…プログラム起動信号生成、４６…ダイヤル入力プログラム、４７…カーソル操作プログラム、４８…メールソフト、４９…ダイヤル番号表、５０…スケジュール管理ソフト、５１…Ｗｅｂブラウザー、５２…無線接続マネージャー、８７…カーソル変化量決定部、８８…アプリケーションマネージャー部、１００…携帯電話機。
【図１】
2006202278.tif 000003
【図２】
2006202278.tif 000004
【図３】
2006202278.tif 000005
【図４】
2006202278.tif 000006
【図５】
2006202278.tif 000007
【図６】
2006202278.tif 000008
【図７】
2006202278.tif 000009
【図８】
2006202278.tif 000010
【図９】
2006202278.tif 000011
【図１０】
2006202278.tif 000012
【図１１】
2006202278.tif 000013
【図１２】
2006202278.tif 000014
【図１３】
2006202278.tif 000015
【図１４】
2006202278.tif 000016
【図１５】
2006202278.tif 000017
【図１６】
2006202278.tif 000018
【図１７】
2006202278.tif 000019
【図１８】
2006202278.tif 000020
【図１９】
2006202278.tif 000021
【図２０】
2006202278.tif 000022
【図２１】
2006202278.tif 000023
【図２２】
2006202278.tif 000024
【図２３】
2006202278.tif 000025
【図２４】
2006202278.tif 000026
【図２５】
2006202278.tif 000027
【図２６】
2006202278.tif 000028
【図２７】
2006202278.tif 000029
【図２８】
2006202278.tif 000030
【図２９】
2006202278.tif 000031
【図３０】
2006202278.tif 000032
【図３１】
2006202278.tif 000033
【図３２】
2006202278.tif 000034